(57)【特許請求の範囲】
【請求項１】
ケース内にポンプ室を形成する複数のダイヤフラムを備え、偏心回転軸により揺動される揺動板によって前記ダイヤフラムが上下動されてポンプ動作を行う小型ポンプに於いて、前記ダイヤフラムの底部中心部に貫通孔を設けると共に、該貫通孔の上方周縁部に全周に及んで上方に突出する吸気弁体を形成し、更に、該貫通孔及び該吸気弁体内に前記ダイヤフラムと前記揺動板とを連結する連結軸を挿通し、且つ、該連結軸には下端から上端近傍まで長手方向に延びて切欠された通気部が形成されており、該連結軸と前記吸気弁体とにより吸気弁が構成されて成り、更に、前記ケース上板中央部に排気孔を開穿し、且つ、該ケース上板下面部の該排気孔外周に該排気孔と連通する環状凹溝を複数形成し、該環状凹溝を形成する内壁面に前記ダイヤフラムの上端部から成る排気弁体を圧接させて排気弁が構成されて成ることを特徴とする小型ポンプ。
【発明の詳細な説明】
【０００１】
【発明の属する技術分野】
この発明は、小型ポンプに関するものであり、特に、血圧計等に用いられ、且つ、ダイヤフラムを使用する小型ポンプに関するものである。
【０００２】
【従来の技術】
従来の此種小型ポンプを図４に従って説明する。図は１２０度の角度を有する２つの垂直切断面によって軸中心に切断された小型ポンプ１の縦断面図を示し、該小型ポンプ１はケース２内にポンプ室３，３，３を形成する３個のダイヤフラム４，４，４が設けられ、該ダイヤフラム４，４，４は互いに一体に連結されてダイヤフラム集合体５を形成している。そして該ダイヤフラム集合体５の中央部には円筒状の排気弁体６が形成され、該排気弁体６は前記ケース２の上板７中央部に開穿された排気孔８内壁に圧接されている。又、該上板７には前記ダイヤフラム４，４，４の上方に位置して夫々傘型の吸気弁体９，９，９が取り付けられている。該吸気弁体９，９，９は前記ダイヤフラム４，４，４側に傘部９ａ，９ａ，９ａが形成され、そして、前記上板７に開穿された小孔１０，１０，１０を貫通し、更に、前記上板７の上方に該小孔１０，１０，１０より大径の止着部９ｂ，９ｂ，９ｂが形成されており、これによって前記吸気弁体９，９，９は前記上板７に圧着されている。又、前記小孔１０，１０，１０の周縁部近傍には数個の吸気孔１１，１１・・・が形成され、前記吸気弁体９，９，９の前記傘部９ａ，９ａ，９ａが該吸気孔１１，１１・・・を密閉している。
【０００３】
更に、前記ダイヤフラム４，４，４の下端部に揺動板１２が揺動自在に連結され、該揺動板１２は回転する偏心軸１３によって揺動するように構成されている。
【０００４】
而して、該偏心軸１３が回転すると前記揺動板１２が揺動し、前記ダイヤフラム４，４，４の下端部を上下動させる。そして、該ダイヤフラム４の下端部が前記揺動板１２により下動された時、該ダイヤフラム４内は負圧になり、前記排気弁体６は前記排気孔８を密閉し、一方、前記吸気弁体９の傘部９ａ，９ａ，９ａが前記吸気孔１１を密閉状態から開放して吸気が行われる。次に、前記ダイヤフラム４の下端部が上動された時、前記ダイヤフラム４内は高圧になり、前記吸気弁体９は前記吸気孔１１，１１・・・を密閉状態にすると共に前記排気弁体６と前記排気孔８間が開放されて排気が行われる。
【０００５】
【発明が解決しようとする課題】
上記従来例の小型ポンプは、揺動板の揺動によりダイヤフラム下端部が上下動し、該ダイヤフラムの上下動に連動して吸気弁体及び排気弁体が動作し吸排気を行っていた。
【０００６】
然しながら、前記ダイヤフラムに連動して動作する前記吸気弁体はケースの上板に固着されており、且つ、該吸気弁体の一部は該上板の外部に露出しているため、該吸気弁体の作動音が前記ケース外部に漏れて、該作動音が雑音となるという問題があった。
【０００７】
そこで、ダイヤフラムを用いた小型ポンプに於いて、吸気弁体から発生する雑音を低減するために解決すべき技術的課題が生じてくるのであり、本発明はこの課題を解決することを目的とする。
【０００８】
【課題を解決するための手段】
本発明は上記目的を達成するために提案されたものであり、ケース内にポンプ室を形成する複数のダイヤフラムを備え、偏心回転軸により揺動される揺動板によって前記ダイヤフラムが上下動されてポンプ動作を行う小型ポンプに於いて、前記ダイヤフラムの底部中心部に貫通孔を設けると共に、該貫通孔の上方周縁部に全周に及んで上方に突出する吸気弁体を形成し、更に、該貫通孔及び該吸気弁体内に前記ダイヤフラムと前記揺動板とを連結する連結軸を挿通し、且つ、該連結軸には下端から上端近傍まで長手方向に延びて切欠された通気部が形成されており、該連結軸と前記吸気弁体とにより吸気弁が構成されて成り、更に、前記ケース上板中央部に排気孔を開穿し、且つ、該ケース上板下面部の該排気孔外周に該排気孔と連通する環状凹溝を複数形成し、該環状凹溝を形成する内壁面に前記ダイヤフラムの上端部から成る排気弁体を圧接させて排気弁が構成されて成る小型ポンプを提供するものである。
【０００９】
【発明の実施の形態】
以下、本発明の一実施の形態を図１乃至図３に従って詳述する。図１は小型ポンプ２１の平面図であり、図に於いて、２２はケースを示し、２３は該ケース２２内に内蔵されるダイヤフラムであり、２４は該ダイヤフラム２３の下端部を上下動させる揺動板である。
【００１０】
前記小型ポンプ２１をＡ−Ａ線で切断した縦断面図を図２に示す。図２に於いて前記小型ポンプ２１はケース２２内にポンプ室２５，２５，２５を形成する３個のダイヤフラム２３，２３，２３が備えられ、該ダイヤフラム２３，２３，２３の下方には該ダイヤフラム２３，２３，２３と連結軸２６によって連結され、且つ、該ダイヤフラム２３，２３，２３の下端部を上下動させる揺動板２４が配設されている。該揺動板２４は偏心回転軸２７により支持され、該偏心回転軸２７の偏心回転により揺動される。そして、該偏心回転軸２７は回転駆動軸２８によって回転される回転体２９に偏心して固着されている。
【００１１】
更に、前記ダイヤフラム２３の底部中心部には貫通孔３０が設けられ、該貫通孔３０上方周縁部には全周に及んで上方に突出する吸気弁体３１が設けられる。そして、該貫通孔３０及び該吸気弁体３１内には前記連結軸２６が挿通され、且つ、該連結軸２６には下端から上端近傍に及んで長手方向に切欠された通気部２６ａが形成されており、該通気部２６ａを有する前記連結軸２６と前記吸気弁体３１とにより吸気弁Ｖ１が構成されている。
【００１２】
又、前記ケース２２の上板３２の中央部には排気孔３２ａが開穿され、且つ、該上板３２下面部の該排気孔３２ａ外周に該排気孔３２ａと連通する３個の環状凹溝３３，３３，３３が形成されており、該環状凹溝３３，３３，３３を形成する内壁面３３ａに前記ダイヤフラム２３，２３，２３の上端部から成る排気弁体３４，３４，３４を圧接させて排気弁Ｖ２が構成されている。
【００１３】
而して、前記回転駆動軸２８が回転して前記偏心回転軸２７が回転すると前記揺動板２４が揺動し、前記ダイヤフラム２３，２３，２３の下端部を上下動させる。そして、該ダイヤフラム２３の下端部が下動された時、該ダイヤフラム２３内は負圧になり、前記排気弁体３４は前記環状凹溝３３の前記内壁面３３ａに密着し、即ち、前記排気弁Ｖ２は閉じ、且つ、前記吸気弁体３１は前記連結軸２６より拡径し、即ち、前記吸気弁Ｖ１は開状態となり吸気が行われる。次に、前記ダイヤフラム２３の下端部が上動された時、前記ダイヤフラム２３内は高圧になり、前記吸気弁体３１が収縮して前記吸気弁Ｖ１を閉状態にすると共に前記排気弁体３４が前記内壁面３３ａより拡径して前記排気弁Ｖ２による排気が行われる。このときの排気状態を図３（前記小型ポンプ２１をＢ−Ｂ線で切断した断面図）によって説明すると、前記排気弁体３４が拡径して該排気弁体３４内より排出された空気は前記環状凹溝３３を通り前記排気孔３２ａから前記ケース２２外に排出される。
【００１４】
斯くして、本発明は前記ダイヤフラム２３の底部に設けられた前記吸気弁体３１と該吸気弁体３１内に挿通された前記連結軸２６により前記吸気弁Ｖ１が構成されているので、従来例のように前記吸気弁体３１が前記ケース２２に直接固着されることなく、又、該吸気弁体３１の一部が該ケース２２の外部に露出することもなく、該吸気弁体３１が該ケース２２内に完全に収納されているため、該吸気弁体３１の作動音は該ケース２２内で消音されることにより、該ケース２２外に漏れる雑音は少なくなる。
【００１５】
尚、本発明は、本発明の精神を逸脱しない限り種々の改変を為すことができ、そして、本発明が該改変されたものに及ぶことは当然である。
【００１６】
【発明の効果】
本発明は上記一実施の形態に詳述したように、ケース内にポンプ室を形成する複数のダイヤフラムを備えた小型ポンプに於いて、前記ダイヤフラムの底部中心部に貫通孔を設けると共に、該貫通孔の上方周縁部に全周に及んで上方に突出する吸気弁体を形成し、該貫通孔及び該吸気弁体内に前記ダイヤフラムと前記揺動板とを連結し、且つ、通気部を有する連結軸を挿通し、該連結軸と前記吸気弁体とにより吸気弁が構成されているので、該吸気弁体は従来例のように該ケースに直接固着されることなく、又、該ケース外に露出していないため、該吸気弁体の作動音は該ケース内で消音され、該ケース外に漏れる雑音は少なくなる。
【００１７】
斯くして、本発明はダイヤフラムを用いた小型ポンプの吸気弁から発生する雑音を低減する等、正に著大なる効果を奏する発明である。
【図面の簡単な説明】
【図１】本発明の一実施の形態を示し、小型ポンプの平面図。
【図２】本発明の一実施の形態を示し、図１のＡ−Ａ線で切断された小型ポンプの縦断面図。
【図３】本発明の一実施の形態を示し、図２のＢ−Ｂ線で切断された小型ポンプの縦断面図。
【図４】従来例を示し、小型ポンプの縦断面図。
【符号の説明】
２１        小型ポンプ
２２        ケース
２３        ダイヤフラム
２４        揺動板
２５        ポンプ室
２６        連結軸
２６ａ      通気部
２７        偏心回転軸
３０        貫通孔
３１        吸気弁体
３２        上板
３２ａ      排気孔
３３        環状凹溝
３３ａ      内壁面
３４        排気弁体
Ｖ１        吸気弁
Ｖ２        排気弁
【図１】
0004352563.tif 000002
【図２】
0004352563.tif 000003
【図３】
0004352563.tif 000004
【図４】
0004352563.tif 000005